(57)【要約】      （修正有）【課題】家具を複数配置する際に、好適に配線等に利用しうる所定の間隔を設けることを可能にしたスペーサを提供する。【解決手段】天板付家具の横架材Ｓに取り付けて使用されるものであって、当接部１１が天板の縁部より外方に位置することとなる突出位置と当接部１１が天板の縁部より内方に位置することとなる没入位置との間で突没可能であるとともに、突出位置で当接面１１ａを対象物に突き当てた際に横架材Ｓの一部と係わり合ってその反力を横架材Ｓに支持させる中間係合部１３を備え、この中間係合部１３に前記突没方向と異なる方向の動作を付与することによって、横架材Ｓとの係わり合いを解除させ、没入位置に向かって移動し得るようにしている。【選択図】図２
2004321259.tif 000002
【特許請求の範囲】
【請求項１】
天板付家具の天板受けに取り付けて使用されるものであって、
一方の端部が天板の縁部より外方に位置することとなる突出位置と前記一方の端部が天板の縁部より内方に位置することとなる没入位置との間で突没可能であるとともに、突出位置で一方の端部を対象物に突き当てた際に天板受けの一部と係わり合ってその反力を天板受けに支持させる第１の係合部を備え、この第１の係合部に前記突没方向と異なる方向の動作を付与することによって、天板受けとの係わり合いを解除させ、没入位置に向かって移動し得るようにしていることを特徴とするスペーサ。
【請求項２】
突出位置で一方の端部と天板受けとの間に位置する部位に第１のオプション部材取付部を設定している請求項１記載のスペーサ。
【請求項３】
第１の係合部を突没方向の１又は複数箇所に設け、２以上の突出位置において第１の係合部を天板受けに係わり合わせるように構成している請求項１又は２記載のスペーサ。
【請求項４】
没入位置で突出方向への外力が作用した際に天板受けの一部と係わりあってその反力を天板受けに支持させる第２の係合部を備え、この第２の係合部に前記突没方向と異なる方向の動作を付与することによって、天板受けとの係わり合いを解除させ、突出位置に向かって移動し得るようにしている請求項１〜３記載のスペーサ。
【請求項５】
没入位置で他方の端部を天板受けの奥方に位置づけ、この他方の端部と天板受けとの間に第２のオプション部材取付部を設定している請求項４記載のスペーサ。
【請求項６】
第２の係合部を突没方向の１又は複数箇所に設け、２以上の没入位置において第２の係合部を天板受けに係わり合わせるように構成している請求項４又は５記載のスペーサ。
【請求項７】
係合部が軸状の本体部に一体的に形成してあり、突没方向と異なる方向の動作を軸回りの回転動作としている請求項１〜６記載のスペーサ。
【請求項８】
係合部が軸状の本体部に回転可能に取り付けてあり、突没方向と異なる方向の動作を前記回転動作としている請求項１〜６記載のスペーサ。
【請求項９】
天板受けが本体部よりも大きいスリットを有し、係合部が前記スリットに対応する鍔形状をなしていて、係合部がスリットを通過し得る位置とその通過が阻止される位置との間で回転可能である請求項７又は８記載のスペーサ。
【発明の詳細な説明】
【０００１】
【発明の属する技術分野】
本発明は、天板付家具に取り付けることにより天板回りの配線機能等を簡単かつ有効に向上させることのできるスペーサに関する。
【０００２】
【従来の技術】
従来から、オフィス等に複数のＯＡ機器を配置することにより、ＯＡ機器の電源コードを始め、ＯＡ機器同士を接続するケーブル等を配線するための様々な工夫がなされている。例えば、事務用机やテーブルを複数並べて、その上にパーソナルコンピュータを始め複数のＯＡ機器を設置した場合、その配線を下肢空間に効率よく整理するために、特に事務用机などでは該机と他の家具を密着させた状態において配線を下肢空間に配置可能にするため、机の所定箇所に配線を挿通させる開口を設けたものや、該下肢空間に配線ダクトなる配線を収納する別の家具を設けたものが開発されている（たとえば特許文献１参照）。
【０００３】
【特許文献１】
特許第２８２４４６５号公報
【０００４】
【発明が解決しようとする課題】
しかしながら、前記したような机の上の空間では様々な箇所に複数のＯＡ機器を配置するため、前記したような予め決められた箇所に開口を有するのみでは配線を効率よく整理できないといった場合もみられ、前記開口の位置にＯＡ機器の位置的自由度が制限されるといったことが起こりうる。そこで、机と他の家具との間に配線を通し得るだけの間隔を設け、机の上に設置したＯＡ機器の配線を前記間隔より机の下の空間に誘導することにより、効率的に配線の整理が行える場合がある。しかし、ここで問題となるのが、オフィスの作業性や見栄え等を考慮した場合、複数の机や家具を所定の間隔を設けて正確に配置しなければならず、そのように複数の机や家具を整列させた上で所定の間隔を設けるよう配置するのは困難である。
【０００５】
また、上記のように複数の机や家具を配置した場合、机や家具同士が対面する箇所の下に位置する空間は、潜在的に配線処理等に利用可能な空間となっている。しかしながら、前記空間を利用するために、配線ダクトなどの別のオプション部材を取り付けるための加工等を別途施しており、机の構造がいきおい複雑なものとなる。
【０００６】
本発明は、このような不都合に着目して作出されたものであり、その目的は、机やテーブル等をはじめとする家具を複数配置する際に、好適に配線等に利用しうる所定の間隔を設けることを可能にしたスペーサを提供することである。
【０００７】
【課題を解決するための手段】
上記課題を解決するためになされたものである本発明に係るスペーサは、天板付家具の天板受けに取り付けて使用されるものであって、一方の端部が天板の縁部より外方に位置することとなる突出位置と前記一方の端部が天板の縁部より内方に位置することとなる没入位置との間で突没可能であるとともに、突出位置で一方の端部を対象物に突き当てた際に天板受けの一部と係わり合ってその反力を天板受けに支持させる第１の係合部を備え、この第１の係合部に前記突没方向と異なる方向の動作を付与することによって、天板受けとの係わり合いを解除させ、没入位置に向かって移動し得るようにしていることを特徴とする。
【０００８】
このようなものであれば、突出位置において一方の端部と対象物を突き当てた際に、対象物と天板の縁部との間に所定の間隔を容易に設けることができるとともに、該間隔を配線落とし込みの空間として利用することができる。さらに、使用しないときにはスペーサを没入位置へ移動することにより、これが突出して天板付家具の配置や使い勝手に悪影響が及ぶことを簡単に回避することができる。
【０００９】
また、本発明に係るスペーサは、突出位置で一方の端部と天板受けとの間に位置する部位に第１のオプション部材取付部を設定している。このようなものであれば、天板の下に位置する空間及びスペーサにより設けられた所定の間隔の下に位置する空間を、例えば配線ダクト等のオプション部材を取り付けるなど、有効に利用することができる。
【００１０】
本発明に係るスペーサの具体的な構成としては、第１の係合部を突没方向の１又は複数箇所に設け、２以上の突出位置において第１の係合部を天板受けに係わり合わせるように構成している。このようなものであれば、前記所定の間隔を複数設定することができる。
【００１１】
【発明の実施の形態】
以下、本発明の一実施の形態について図面を参照して説明する。
【００１２】
本実施形態に係るスペーサは、天板付家具の天板受けたる横架材Ｓに取り付けて使用するものであり、図１に示すように、円柱状の軸１０に、当接部１１および係合部１２、１３、１４をそれぞれ設けた構成となっており、その材料としては一定以上の強度を有する樹脂や金属等を用いている。
【００１３】
軸１０は、スペーサ１の本体とも言うべき部分であり、横架材Ｓへ挿通した際にがたつきがないように、後述する横架材Ｓの開口たるスリットの上縁及び下縁に設けた円弧状凹部の曲率と略一致する曲率の円柱をなしている。軸１０の長さは本実施形態において、後述するスペーサ１の機能が有効に働くよう、挿通先の横架材Ｓの奥行き方向の長さの約２倍に設定されている。
【００１４】
横架材Ｓを挿通しない側の軸１０の外方端部には、立方体形状の当接部１１が設けられている。当接部１１は、当接面１１ａにおいて対象物である他の家具や机等に突き当てられるものである。
【００１５】
挿入始端側からみて、当接部１１の反対側の軸端部１０ａに第１係合部（先端係合部）１２が、軸端部１０ａと当接部１１との中間付近に第２係合部（中間係合部）１３が、また当接部１１に接する箇所に第３係合部（基端係合部）１４がそれぞれ設けられている。これら係合部１２、１３、１４は、円柱状の軸１０より断面長方形状の鍔として突出する突出部分１２１、１３１、１４１を有しており、基端係合部１４と中間係合部１３は先端係合部１２に対して軸１０を中心に９０度回転させた位相をなしている。
【００１６】
軸１０の長手方向に面している突出部分１２１、１３１、１４１の面はそれぞれ横架材Ｓに当接することにより、軸１０の抜き差し方向の位置決めを行えるようになっている。
【００１７】
次に、本実施形態に係るスペーサ１を、天板付家具たる机に設けられた横架材Ｓに取り付ける際の操作を図２〜４を用いて説明する。
【００１８】
本実施形態に用いる横架材Ｓは、図２〜４に示すように、板金素材を塑性変形加工することにより、４枚の立壁Ｓ１ａ、Ｓ１ｂ、Ｓ１ｃ、Ｓ１ｄの間を平面部分を介して連結した断面略Ｗ字形をなすものであり、前記立壁Ｓ１ａ、Ｓ１ｂ、Ｓ１ｃ、Ｓ１ｄにそれぞれ同一位相で貫通する開口たるスリットＳ２ａ、Ｓ２ｂ、Ｓ２ｃ、Ｓ２ｄを設けている。スリットＳ２ａ、Ｓ２ｂ、Ｓ２ｃ、Ｓ２ｄの形状は、係合部１２、１３、１４の断面に略一致した（実際には僅かに大きい）ものとなっている。また、スペーサ１の軸部１０は、前記スリットＳ２ａ、Ｓ２ｂ、Ｓ２ｃ、Ｓ２ｄの上縁と下縁に設けてある前述した凹部に軸支された状態で、係合部１２，１３，１４と共に回転可能である。
【００１９】
まず、図２のように、軸１０の先端１０ａ付近の先端係合部１２の向きをスリットＳ２ａの向きに一致させ、先端係合部１２をスリットＳ２ａに挿入する。先端係合部１２をそのまま回転させずにスリットＳ２ｄに向かって挿入させると中間係合部１３は突出部分１３１の位相が異なるため、その当接部１３１ａがスリットＳ２ａを有する立壁Ｓ１ａに当接する。そのときのスペーサ１の当接面１１ａは天板の縁部よりも外方に位置し（図６参照）、先端１０ａにある先端係合部１２はスリットＳ２ｄを若干通過した状態となっている。この状態において、基端係合部１４と中間係合部１３との間の軸１０の部分は、後述する配線ダクトＤ等のオプション部材を取り付けることができる第１オプション取付部１０ｂとして機能する。なお、中間係合部１３の当接部１３１ａを、図２に示した状態からスペーサ１を、９０度回転させる操作と直進させる操作とを併用することにより、横架材Ｓのうち他のスリットＳ２ｂ、Ｓ２ｃ、Ｓ２ｄが開口する立壁Ｓ１ｂ、Ｓ１ｃ、Ｓ１ｄに当接させる状態も実現することができ、立壁Ｓ１ｂに当接させた場合等には、このスペーサ１の当接面１１ａは前記の場合よりは若干突出量は小さいが天板の縁部よりも外方に位置することとなる。
【００２０】
また、図３のように先端係合部１２の当接部１２１ｂがスリットＳ２ｄを貫通した位置で、スペーサ１を９０度回転させることによって、当該先端係合部１２を立壁Ｓ１ｄに当接させた状態をとることもでき、スペーサ１を横架材Ｓから引き出し不能に保持することが可能である。勿論、それまでの段階において、先端係合部１２の当接部１２１ｂを、スリットＳ２ａ、Ｓ２ｂ、Ｓ２ｃが開口する立壁Ｓ１ａ、Ｓ１ｂ、Ｓ１ｃと当接して抜脱不能な状態とすることも可能である。
【００２１】
スペーサ１を天板の内方に没入させたいときには、図３に示した状態から中間係合部１３を、横架材Ｓの立壁Ｓ１ｄに当接するまでスリットＳ２ａ、Ｓ２ｂ、Ｓ２ｃ、Ｓ２ｄに挿入する（図４）。この没入状態では当接部１１に隣接して設けられた基端係合部１４がスリットＳ２ａに挿入された状態となり、スペーサ１は横架材Ｓに回転不能に固定される。また、この状態においてスペーサ１は、他の物の邪魔とならないように横架材Ｓの外側に当接部１１のみを突出させる。さらにこの状態において、先端係合部１２と中間係合部１３との間の軸１０の部分は、幕板Ｍなどのオプション部材を取り付けるための第２オプション取付部１０ｃとして機能する。
【００２２】
次に、上記スペーサ１を用いて取り付けることができる配線ダクトＤを図５に示す。この配線ダクトＤは、上部に湾曲した腕Ｄ１を２箇所に有している。この腕Ｄ１を、横架材Ｓの長手方向に離間した位置に設けた２つのスペーサ１の第１オプション取付部１０ｂにそれぞれ引っ掛けることにより、スペーサ１にぶら下げた状態で取り付けることができる。
【００２３】
図６は、本実施形態に係るスペーサ１を突出状態で配置した机を、当該スペーサの当接面１１ａ同士を突き合わせて対面配置し、天板Ｔの反使用縁間に所定の隙間の配線空間を形成した例である。
【００２４】
なお、机の横架材Ｓには、スリット群Ｓ２ａ〜Ｓ２ｄを当該横架材Ｓの長手方向に沿って多数箇所に設けてあり、スペーサ１の取付位置を適宜に選択、変更可能なものになっている。
【００２５】
以上のように、本実施形態に係るスペーサ１は、天板付家具の天板受けたる横架材Ｓに取り付けて使用されるものであって、一方の端部たる当接部１１が天板Ｔの縁部より外方に位置することとなる突出位置と当接部１１が天板Ｔの縁部より内方に位置することとなる没入位置との間で突没可能であるとともに、突出位置で当接部１１の当接面１１ａを対象物に突き当てた際に横架材Ｓの一部と係わり合ってその反力を横架材Ｓに支持させる第１の係合部（例えば図２の中間係合部１３）を備え、この第１の係合部に前記突没方向と異なる回転動作を付与することによって、横架材Ｓとの係わり合いを解除させ、没入位置に向かって移動し得るようにしている。このため、突出位置において当接面１１ａを対象物に突き当てた際に、対象物と天板Ｔの縁部との間に所定の間隔を容易に設けることができるとともに、該間隔を配線落とし込みの空間として利用することができ、使用しないときにはスペーサ１を没入位置へ移動することにより、これが邪魔になることを有効に回避することが可能となる。なお、先端係合部１２や基端係合部１４も、横架材Ｓに向かって押し込むときに立壁Ｓ１ａ、Ｓ２ａ、Ｓ３ａに当接するときは本発明に係る第１の係合部として機能するものである。
【００２６】
また、本実施形態に係るスペーサ１は、突出位置で当接部１１と横架材Ｓとの間に位置する部位に第１のオプション部材取付部１０ｂを設定している。このようなものであれば、横架材Ｓの下方に配線ダクトＤなどのオプション部材を配置することができるなど、天板Ｔの下に位置する空間及びスペーサ１により設けられた所定の間隔の下に位置する空間を有効に利用することができ、本実施形態のスペーサ１を多目的スペーサとしてその利用価値を高めることができる。
【００２７】
一方、本実施形態のスペーサ１は、没入位置で突出方向への外力が作用した際に横架材Ｓの一部と係わりあってその反力を横架材Ｓに支持させる第２の係合部（例えば図３の先端係合部１２）を備え、この第２の係合部に前記突没方向と異なる回転動作を付与することによって、横架材Ｓとの係わり合いを解除させ、突出位置に向かって移動し得るようにしている。このため、このスペーサ１を天板Ｔの下方に退避させ、或いはその退避位置を、オプションの取付態様に応じて適宜に選択するという利用の態様も可能になる。なお、中間係合部１３も、横架材Ｓから抜き取るときに立壁Ｓ１ａ、Ｓ２ａ、Ｓ３ａに当接するときは本発明に係る第２の係合部として機能するものである。
【００２８】
また、本実施形態に係るスペーサ１は、没入位置で他方の端部たる軸１０の端部１０ａを横架材Ｓの奥方に位置づけ、この他方の端部と横架材Ｓとの間に第２のオプション部材取付部１０ｃを設定している。このようなものであれば、横架材Ｓの内方に幕板Ｍや棚などのオプション部材を配置することができるなど、天板Ｔの下肢空間を有効に活用することができる。
【００２９】
さらに、上記先端係合部１２、中間係合部１３、基端係合部１４と、立壁Ｓ１ａ、Ｓ２ａ、Ｓ３ａとの係わり合いによって、本発明に係る第１の係合部や第２の係合部が突没方向の複数箇所に実現されるようにしているため、当接部１１の突出量を調整して配線落とし込みの隙間を可変としたり、各種オプション部材の取付位置を自在に設定、変更することができ、取付自由度の高い利用が可能となる。
【００３０】
なお、以上の実施形態では、鍔形状の突出部分１２１、１３１、１４１を有するスペーサ１の係合部１２、１３、１４が軸状の本体部に一体的に形成しており、突没方向と異なる方向の動作を軸回りの回転動作として与えるようにしているが、軸に垂直な平面内において軸心からずれる方向に係合部が変位する形態のものや、各係合部が軸状の本体部に対し回転可能に取り付けてあるものなども実施可能である。これらの場合には、スペーサ１の全体を回転等させることは不要であり、必要な係合部のみを本体部に対して変位させれば足り、操作は平易なものになる。
【００３１】
また、スリットＳ２の円弧状凹部に例えば、Ｖ字形の溝を設けるとともに、軸１０の表面に前記溝と形状が略一致するＶ字形のリブを９０度角度位相を異ならせて複数設ける構成とすることにより、スペーサ１を回転させる際に、所定の角度、例えば係合部がスリットＳ２を通過する角度及び該角度と直交する角度においてクリック感を伴わせるとともに、係合部１２、１３、１４のスリットＳ２に対する通過及び係合を選択し易いようにすることも可能である。
【００３２】
さらに、例えば図７に示すように、本実施形態に係るスペーサ２として、に当接部２１から伸びる軸２０に設けた先端係合部２２、基端係合部２４の向きを同じとし、中間係合部２３の位相を９０度異ならせたものであっても、上記実施形態と取り扱いの態様が若干異なるだけで基本的な作用効果は同様のものが得られる。
【００３３】
さらに、上記実施形態において、スペーサ１は横架材Ｓと係合する状態と、突没方向に移動しうる状態をスペーサ１の回転動作によって選択しうる態様としているが、たとえば、スリットＳ２の形状を変更することによりスペーサがスリット内を、横架材Ｓの長手方向や上下方向に移動させることにより選択しうる態様としたものも本発明に含まれる。
【００３４】
【発明の効果】
本発明によれば、対象物と天板の縁部との間に所定の間隔を容易に設けることができるとともに、該間隔を配線落とし込みの空間として利用することができる。さらに、使用しないときにはスペーサを没入位置へ移動することにより、これが突出して天板付家具の配置や使い勝手に悪影響が及ぶことを簡単に回避することができる。また、このような構成のスペーサであれば、オプション取付具として併用することも容易であり、多目的に本発明のスペーサを利用できるようになる。
【図面の簡単な説明】
【図１】本実施形態に係るスペーサを示す斜視図。
【図２】本実施形態に係るスペーサの実施態様を示す図。
【図３】本実施形態に係るスペーサの実施態様を示す図。
【図４】本実施形態に係るスペーサの実施態様を示す図。
【図５】本実施形態に係る配線ダクトを示す斜視図。
【図６】本実施形態に係るスペーサの実施態様を示す図。
【図７】本実施形態の変形例であるスペーサを示す斜視図。
【符号の説明】
１、２…スペーサ
１０…軸
１０ａ…軸の端部（他方の端部）
１１…当接部（一方の端部）
１２、１３、１４…係合部
１２１、１３１、１４１…突出部分
Ｄ  …配線ダクト
Ｍ  …幕板
Ｓ  …横架材（天板受け）
Ｓ１ａ、Ｓ１ｂ、Ｓ１ｃ、Ｓ１ｄ…立壁
Ｓ２ａ、Ｓ２ｂ、Ｓ２ｃ、Ｓ２ｄ…スリット
Ｔ…天板
【図１】
2004321259.tif 000003
【図２】
2004321259.tif 000004
【図３】
2004321259.tif 000005
【図４】
2004321259.tif 000006
【図５】
2004321259.tif 000007
【図６】
2004321259.tif 000008
【図７】
2004321259.tif 000009